(57)【特許請求の範囲】
【請求項１】
壺型に形成され、円筒状の首部を有するインキビン内に設けられ、前記インキビンを上下方向に回転させることで万年筆のペン先で吸引するインキをその内部に導くインキリザーバーにおいて、
前記首部内に位置する筒部と、
前記筒部に形成された流入孔と、
前記筒部の下方に形成された円錐状のペン先差し込み部と、
前記ペン先差し込み部の下方に形成された底面部と、
前記底面部の下面に形成された突起部と、
を備えることを特徴とするインキリザーバー。
【請求項２】
前記突起部は、微小な形状に形成されていることを特徴とする請求項１に記載のインキリザーバー。
【請求項３】
壺型に形成され、円筒状の首部を有するインキビンと、
前記首部内に位置する筒部、前記筒部に形成された流入孔、前記筒部の下方に形成された円錐状のペン先差し込み部、前記ペン先差し込み部の下方に形成された底面部、及び、前記底面部の下面に形成された突起部を具備し、前記インキビン内に設けられ、前記インキビンを上下方向に回転させることで万年筆のペン先で吸引するインキをその前記流入孔からその内部に導くインキリザーバーと、
を備えることを特徴とするインキリザーバー付インキビン。
【発明の詳細な説明】
【技術分野】
【０００１】
本発明は、インキを吸引してインチ筒に補充する万年筆に使用されるインキビンに関するものである。
【背景技術】
【０００２】
万年筆において、インキ筒にインキを補充する方法はインキ筒であるカートリッヂを交換するカートリッヂタイプと吸引タイプがあるが、吸引タイプは、インキ筒にインキが減少ないし使い切ると、ペン先をインキビンに差し込み、ピストンの作用でインキを吸引し、あるいは、柔軟なインキ筒の容積を減少させ、元の状態に復元するときの吸引力によりインキを吸引している。
【先行技術文献】
【非特許文献】
【０００３】
【非特許文献１】セーラー万年筆株式会社総合カタログ  2009〜2010年版
【発明の概要】
【発明が解決しようとする課題】
【０００４】
万年筆のペン先は、前方が三角形状をなし、その中央に縦方向の切り割を有する。そして、切り割には丸型やハート型の終端部が形成されており、ペン先の裏側に配置されたペン芯のインキ溝がこの終端部に接続されている。したがって、インキビンにペン先を差し込んでインキを吸引するためには、この切り割の終端部がインキ内に位置させる必要がある。しかし、ペン先の先端から切り割の終端部までは数ミリメートルあるため、インキビンのインキの残量が少なくなるとペン先の先端をインキビンの底面に当接させても切り割の終端部をインキ内に位置させることができず、インキを吸引できなくなる。つまり、インキビンに吸引できないインキが多く残ることになる。ことに底面積が大きい形状のインキビンの場合は吸引できないインキの量が多くなる。
【０００５】
このため、インキビン内にインキリザーバーを装着したものが知られている。このインキリザーバーは、例えば、上部の筒部の下方に容積の小さな円錐状のペン先差し込み部が形成されている。筒部には流入孔が形成されている。そして、インキの残量が少なくなると、インキビンを上下方向に１８０°回転して上下を逆にし、さらに同じ方向ないし逆方向に１８０°回転して元の状態に戻す。ここで、１８０°回転して上下が逆になった時にビンの底部に滞留していたインキがインキビンの蓋側に落下し、インキリザーバーの流入孔から筒部に入り、さらに１８０°回転して上下を元に戻すと筒部内に入ったインキがペン先差し込み部に落ち込む。このため、インキ残量が少ない場合でもペン先差し込み部がインキで満たされるので、インキを吸引することが可能となる。
【０００６】
しかし、この様にインキビンを上下方向に回転させて一旦上下を逆にし、さらに回転させて元の状態に戻すことにより、少なくなったインキをインキリザーバーのペン先差し込み部に導くので、すべてのインキをペン先差し込み部に導くのが困難であり、どうしても万年筆に吸引できないインキがインキビンの底部に残ってしまう。
【０００７】
図５に従来例を示すが、インキリザーバー２の底面２４とインキビン１の底面が面接触していると、毛細管現象によりインキが両面の間に入り込んで薄いインキ膜ができる。そして、インキビン１内のインキの残量が少なくなった（Ａ）から１８０°回転して上下が逆になって（Ｂ）になったとき、インキリザーバー２の底面２４が、インキビン１の底面との間に存在する薄いインキ膜の吸着力によりインキビン１の底面に付着して落下しないことがある。このため、筒部２２の先端開口と反転した時の底部である蓋１９との間の間隔が大きく、筒部２２で覆われないインキＩb が多くなる。つまり、筒部２２内のインキＩが少なく、さらに１８０°回転して（Ｃ）を経て元の状態の（Ｄ）になったときに、インキＩbの多くがペン先差し込み部２１に入らずにインキビン１の底部に残る。したがって、利用できないインキＩaが多くなる不具合がある。
【０００８】
そこで本発明は、インキビン内の少なくなったインキを効率よく万年筆に吸引することができ、利用でないインキを少なくすることが可能なインキリザーバー及びインキリザーバー付インキビンを提供することを目的とする。
【課題を解決するための手段】
【０００９】
かかる目的を達成するために、本発明は、壺型に形成され、円筒状の首部を有するインキビン内に設けられ、前記インキビンを上下方向に回転させることで万年筆のペン先で吸引するインキをその内部に導くインキリザーバーにおいて、前記首部内に位置する筒部と、前記筒部に形成された流入孔と、前記筒部の下方に形成された円錐状のペン先差し込み部と、前記ペン先差し込み部の下方に形成された底面部と、前記底面部の下面に形成された突起部と、を備える。
【発明の効果】
【００１０】
壺型をしたインキビンの首部内に位置する筒部と、筒部に形成された流入孔と、筒部の下方に形成された円錐状のペン先差し込み部と、ペン先差し込み部の下方の底面部で構成したインキリザーバーをインキビンに装着するので、インキビン内のインキが残り少なくなったとき、インキビンを上下方向に回転させて上下を逆にし、再び元の状態に戻すと、その過程でインキが容積の小さなペン先差し込み部に入り込んでこのペン先差し込み部がインキで満たされるので、ここに万年筆のペン先を差し込むことによりインキを吸引することができる。
【００１１】
そして、インキリザーバーの底面部の下面に微小な突起を形成し、インキビンを上下方向に１８０°回転した時に薄いインキ膜の吸着力により底面部がインキビンの底面に付着しないようにしたので、筒部の先端開口と反転した時の底部である蓋に接触し、筒部内のインキが多くなるので、再び１８０°回転して元の状態に戻した時に効率よくペン先差し込み部に導くことができる。
【図面の簡単な説明】
【００１２】
【図１】本発明実施例の正面図である。
【図２】インキリザーバーの断面図と底面図である。
【図３】インキビンを上下方向に回転した時の説明図である。
【図４】使用状態の説明図である。
【図５】従来例の説明図である。
【発明を実施するための形態】
【００１３】
図１において、ガラス製のインキビン１は底面１２が円形の壺型であり、首部１１は円筒状である。首部１１には蓋１９が着脱自由に螺着される。そして、インキビン１内にインキリザーバー２が装着されている。インキリザーバー２は、図２に示すように、上部が円筒状の筒部２２であり、筒部２２には２個の流入孔２３が対向して形成されている。筒部２２の下方が円錐状のペン先差し込み部２１であるが、ペン先差し込み部２１は万年筆のペン先が丁度差し込める程度の容積の小さいものである。ペン先差し込み部２１の下部がやや面積の広い底面部２４であり、インキビン１内でインキリザーバー２を安定的に装着できるようになっている。そして、底面部２４の底面には微小な突起２５としてリブが放射状に設けられている。突起２５はリブに限られるものではない。
【００１４】
ここで、首部１１の内径は２８.８ｍｍφであり、筒部２２の外径は２７.５ｍｍφであって、首部１１と筒部２２の隙間はごく僅かである。突起２５の高さは１.５ｍｍであり、インキビン１の底面１２とインキリザーバー２の底面部２４の間に吸着力の強いインキ薄膜が形成されないようになっている。また、１個の流入孔２３の面積は４０平方ミリメートル程度である。
【００１５】
インキビン１内のインキが残り少なくなった図１の状態から上下方向に回転させるが、１８０°回転して上下が逆になって図３（Ａ）になったとき、インキリザーバー２の底面２４とインキビン１の底面１２との間に吸着力の強いインキ薄膜が存在しないのでインキリザーバー２は落下して筒部２２の先端開口が反転した時の底部である蓋１９に当接する。この過程でインキリザーバー２より早く落下したインキＩは筒部２２で囲われ、遅く落下するインキＩは流入孔２３から筒部２２内に流入する。これと同時にインキリザーバー２の空気は流入孔２３から外部に逃げる。ここで、首部１１と筒部２２の隙間はごく僅かであるので、ほとんどのインキＩが筒部２２で囲われる。
【００１６】
この状態から更に１８０°回転して図３（Ｂ）を経て元の状態の図３（Ｃ）になると、ほとんどのインキＩをペン先差し込み部２１に導くことができてペン先差し込み部２１はインキＩで満たされ、ペン先差し込み部２１に導かれなくて利用できないインキＩａは僅かである。ここで、更に１８０°回転して（Ｂ）を経て元の状態（Ｃ）に戻るとき、一部のインキＩは流入孔２３から外部に流出するので、流入孔２３の面積と個数は適宜決定する必要がある。つまり、インキＩが前半の１８０°の回転で流入孔２３から流入する速度と後半の１８０°の回転で外部に流出する量を勘案する必要があり、いろいろと検討した結果、面積が２０〜６０平方ミリメートル程度の流入孔２３を複数個設けるのが好ましい。
【００１７】
図４に示すように、万年筆Ｆにインキを吸入するときは、ペン先Ｐをペン先差し込み部２１に差し込むが、ペン先Ｐの切り割３２の終端部３３がインキＩで満たされているのでインキＩを吸入することができ、インキビン１内の残り少なくなったインキを効率よく利用することができる。ここで、ペン先Ｐをペン先差し込み部２１に差し込むとき、ペン先Ｐの先端部３１と角部３４をペン先差し込み部２１の底面と側面に同時に当接させるようにペン先差し込み部２１の形状を定めるのがよい。角部３４のみが合成樹脂からなるペン先差し込み部２１の側面に当接すると金属からなる角部３４が側面に食い込んで万年筆Ｆを取り上げるときにインキリザーバー２もインキビン１から浮き上がってしまうことがあり、逆に先端部３１のみを底面に当接させると先端部３１が摩耗して損傷することがある。
以下に、本願出願の当初の特許請求の範囲に記載された発明を付記する。
［１］  インキが残り少なくなったインキビンを上下方向に回転してインキをインキリザーバーの容積の小さなペン先差し込み部に導いてインキを万年筆で吸引可能にするインキリザーバーが装着されたインキリザーバー付インキビンにおいて、
前記インキリザーバーは、壺型をしたインキビンの首部内に位置する筒部と、筒部に形成された流入孔と、筒部の下方に形成された円錐状のペン先差し込み部と、ペン先差し込み部の下方の底面部からなり、該底面部の下面には微小な突起が形成され、インキビンを上下方向に１８０°回転した時にインキ膜の吸着力により該底面部がインキビンの底面に付着しないことを特徴とするインキリザーバー付インキビン。
【符号の説明】
【００１８】
１  インキビン
１１  首部
１２  底面
１９  蓋
２  インキリザーバー
２１  ペン先差し込み部
２２  筒部
２３  流入孔
２４  底面部
２５  突起
３１  先端部
３２  切り割
３３  終端部
３４  角部
【図１】
0005337906.tif 000002
【図２】
0005337906.tif 000003
【図３】
0005337906.tif 000004
【図４】
0005337906.tif 000005
【図５】
0005337906.tif 000006